(57)【要約】【課題】柱状体への装着の完了を短時間、安全に行うことができると共に、単一構成で且つ軽量の根巻構成部品を用いることができ、根巻構成部品同士の縦孔内での連結も簡易な、根巻用構造体を提供する。【解決手段】根巻用構造体１３は、複数のブロック３、３から構成され、これらのブロック３、３を組み合わせることにより、立設した状態の柱状体１の側面と対峙する内周面５を有する柱状体用の貫通孔７が形成されていると共に、各ブロック３に貫通孔７の軸方向と同じ方向に延び、貫通孔７よりも内径寸法の小さな貫通孔８が複数形成された根巻構成部品２と、貫通孔８に装着される接続棒９とを有して構成されたものとし、根巻の施工方法は、かかる根巻用構造体１３について接続棒９を介して柱状体１の軸方向に複数重ねる工程を用いる。【選択図】図４
2010163761.tif 000002
【特許請求の範囲】
【請求項１】
複数のブロックから構成され、これらのブロックを組み合わせることにより、立設した状態の柱状体の側面と対峙する内周面を有する柱状体用貫通孔が形成されると共に、前記各ブロックには、前記柱状体用貫通孔の軸方向と同じ方向に延びて、当該柱状体用貫通孔よりも内径寸法の小さな小径貫通孔が複数形成されていることを特徴とする根巻構成部品。
【請求項２】
請求項１に記載の根巻構成部品を前記柱状体の軸方向に沿って複数重ねることで形成され、隣接する根巻構成部品ではかかる根巻構成部品を構成するブロックの継ぎ目の位置がずれるように重ねられていることを特徴とする根巻用構造体。
【請求項３】
前記複数の根巻構成部品のうち隣接する根巻構成部品は、各々の小径貫通孔同士が連通した状態で、前記柱状体に対し軸方向に沿って装着され、前記小径貫通孔に接続棒が挿入されることで相互に連結されていることを特徴とする請求項２に記載の根巻用構造体。
【請求項４】
複数のブロックから構成され、これらのブロックを組み合わせることにより、立設した状態の柱状体の側面と対峙する内周面を有する柱状体用貫通孔が形成されていると共に、各ブロックに前記柱状体用貫通孔の軸方向と同じ方向に延び、当該柱状体用貫通孔よりも内径寸法の小さな小径貫通孔が複数形成された根巻構成部品と、前記小径貫通孔に装着される所定の長手方向寸法の接続棒とを有して構成された根巻用構造体を用いた根巻の施工方法であって、
縦孔に柱状体を建て込む工程と、
前記縦孔の一部を埋め戻して前記柱状体に対し垂直方向へ立設させるための位置決めを行う工程と、
前記ブロックを前記柱状体用貫通孔の側面が前記柱状体の側面を囲むように組み合わせることで１段目の根巻構成部品が構成されるものとし、この１段目の根巻構成部品を前記柱状体の軸方向に沿って前記縦孔内に落とし込む工程と、
前記１段目の根巻構成部品の小径貫通孔に所定の長手寸法の接続棒を装着する工程と、
前記ブロックを前記柱状体用貫通孔の側面が前記柱状体の側面を囲むように組み合わせることで２段目以後の根巻構成部品が構成されるものとし、この２段目以後の根巻構成部品を、組み合わせた状態又は前記ブロックごとに、前記柱状体の軸方向に沿うと共にかかる２段目以後の根巻構成部品の小径貫通孔が前記接続棒に外挿するように落とし込む工程と
を有して構成されることを特徴とする根巻の施工方法。
【発明の詳細な説明】
【技術分野】
【０００１】
この発明は、電柱等の柱状体を建柱するにあたり、当該柱状体の基礎の安全率を確保するための根巻の施工方法、並びにこの根巻の施工方法で用いられる根巻用構造体及びこの根巻用構造体を構成する根巻構成部品の構成に関する。
【背景技術】
【０００２】
地盤に柱状体、特に電柱を建柱するにあたり、電柱等の柱状体が耐えるべきとされた荷重（風圧荷重又は常時想定荷重）が加わる場合における基礎の安全率の数値が２未満となる場合には、当該電柱等の柱状体の基礎を補強して安全率が２以上となるよう配慮する必要があるところ、この電柱等の柱状体の基礎の補強としては、例えば特許文献１に示されるように柱状体（この特許文献１では支柱）の下部の周囲を基礎で囲み、柱状体と基礎との間に生コンクリート等の硬化性充填材を充填、硬化させる手順を用いた根巻の施工方法が公知となっている。
【０００３】
そして、特許文献２の特に明細書の段落番号「００２２」及び図８に示されるように、根巻コンクリートについて、２つの分割アレキャスト型根巻コンクリートで構成されたものとし、各分割アレキャスト型根巻コンクリートが半円形状の凹部を有し、この凹部で柱状体たる下部ポールを左右から挟んだ後、両分割アレキャスト型根巻コンクリート同士を連結する構成についても既に公知となっている。
【先行技術文献】
【特許文献】
【０００４】
【特許文献１】特開２０００−２８２７１４号公報
【特許文献２】特開２００８−１３９５１号公報
【発明の概要】
【発明が解決しようとする課題】
【０００５】
しかしながら、特許文献１に示されるような支柱等の柱状体と基礎との間に生コンクリート等の硬化性充填材を充填する手順を経ると、生コンクリートでは固まるまで等、充填材が硬化、固定するまで待つ必要があるため、柱状体を建柱した縦孔の埋め戻しがすぐにできないという不具合を有し、柱状体の傾倒防止のために仮支線を設ける等の工程が余分に必要となる。しかも、柱状体がまだ固定されていない状態で、第三者が侵入してきた場合には、第三者にとって危険である。また、生コンクリート等の硬化性充填材を充填するにあたりその充填量を計算する必要がある。さらに、柱状体を撤去、交換する際に、柱状体を地中から抜き取るにあたり、柱状体の周囲に固着したコンクリート根巻が作業の障害となり、かかる柱状体の撤去、交換作業が困難となるという不都合もある。
【０００６】
これに対し、特許文献２では、根巻コンクリートが２つの分割アレキャスト型根巻コンクリートというブロックで構成されているため、充填材が硬化するまで待つ必要がないと共に、柱状体から分割アレキャスト型根巻コンクリートを取り外す作業は、硬化したコンクリートを柱状体から剥がす作業よりも相対的に簡易である。
【０００７】
もっとも、特許文献２に示される２つの分割アレキャスト型根巻コンクリートから成る根巻コンクリートの構成では、柱状体の軸方向に沿って積み重ねるのは容易ではなく、このため、コンクリート量も固定されてしまうので、厚みの薄い構造としたのでは安全率の数値が２以上とするための調整を適宜に行うことができず、厚みの大きな構造としたのでは重量が大きくなり作業性に欠けることとなる。そして、複数の厚みの分割アレキャスト型根巻コンクリートを用意するのは不経済的である。
【０００８】
また、特許文献２に示される分割アレキャスト型根巻コンクリート同士の連結構造では、各分割アレキャスト型根巻コンクリートの柱状体の軸方向に沿って延びる面に連結孔を設け、この連結孔を有する面に対し柱状体の径方向から連結板を、当該連結板の連結孔と分割アレキャスト型根巻コンクリートの連結孔とが連通するように装着し、さらに、これら連通した連通孔に固定部材を挿入することで、分割アレキャスト型根巻コンクリート同士を連結するところ、地中の状態では連結板及び固定部材を分割アレキャスト型根巻コンクリート同士に対し柱状体の径方向から装着又は挿入するのは容易ではなく、縦孔の内径寸法を余分に採る必要がある等の不具合も生ずる。
【０００９】
そこで、本発明は、柱状体への装着の完了を短時間、安全に行うことができると共に、単一構成で且つ軽量の根巻構成部品を用いることができ、根巻構成部品同士の縦孔内での連結も簡易な、根巻構成部品、根巻用構造体、及び根巻の施工方法を提供することを目的とする。
【課題を解決するための手段】
【００１０】
この発明に係る根巻構成部品は、複数のブロックから構成され、これらのブロックを組み合わせることにより、立設した状態の柱状体の側面と対峙する内周面を有する柱状体用貫通孔が形成されると共に、前記各ブロックには、前記柱状体用貫通孔の軸方向と同じ方向に延びて、当該柱状体用貫通孔よりも内径寸法の小さな小径貫通孔が複数形成されていることを特徴としている（請求項１）。このように複数の小径貫通孔を有することで根巻構成部品の軽量化が図られる。
【００１１】
そして、この発明に係る根巻用構造体は、請求項１に記載の根巻構成部品を前記柱状体の軸方向に沿って複数重ねることで形成され、隣接する根巻構成部品ではかかる根巻構成部品を構成するブロックの継ぎ目の位置がずれるように重ねられていることを特徴としている（請求項２）。このような構成の根巻用構造体とすることにより、根巻構成部品を柱状体の軸方向に沿って重ねる個数を変更するのみで、最適な柱状体の基礎の安全率が必要十分な数値となるように調整することが可能となる。このため、生コンクリートを柱状体と縦孔との間に注入する場合に比し、コンクリート量等の事前に行う計算の簡易化、根巻の施工のための作業時間の短縮化、根巻の施工作業の安全の促進が図られると共に、柱状体を撤去、交換する際においても、根巻の撤去作業が容易となり、柱状体及び根巻構成部品の再使用も可能となる。
【００１２】
かかる根巻用構造体にあって、前記複数の根巻構成部品のうち隣接する根巻構成部品は、各々の小径貫通孔同士が連通した状態で、前記柱状体に対し軸方向に沿って装着され、前記小径貫通孔に接続棒が挿入されることで相互に連結されていることがより好適である（請求項３）。これにより、根巻用構造体に対し柱状体の径方向への力が加わっても根巻構成部品若しくはそのブロックがずれることがなくなり、根巻用構造体の強度も向上させることができる。
【００１３】
更に、この発明に係る根巻の施工方法は、複数のブロックから構成され、これらのブロックを組み合わせることにより、立設した状態の柱状体の側面と対峙する内周面を有する柱状体用貫通孔が形成されていると共に、各ブロックに前記柱状体用貫通孔の軸方向と同じ方向に延び、当該柱状体用貫通孔よりも内径寸法の小さな小径貫通孔が複数形成された根巻構成部品と、前記小径貫通孔に装着される所定の長手方向寸法の接続棒とを有して構成された根巻用構造体を用いた根巻の施工方法であって、縦孔に柱状体を建て込む工程と、前記縦孔の一部を埋め戻して前記柱状体に対し垂直方向へ立設させるための位置決めを行う工程と、前記ブロックを前記柱状体用貫通孔の側面が前記柱状体の側面を囲むように組み合わせることで１段目の根巻構成部品が構成されるものとし、この１段目の根巻構成部品を前記柱状体の軸方向に沿って前記縦孔内に落とし込む工程と、前記１段目の根巻構成部品の小径貫通孔に所定の長手寸法の接続棒を装着する工程と、前記ブロックを前記柱状体用貫通孔の側面が前記柱状体の側面を囲むように組み合わせることで２段目以後の根巻構成部品が構成されるものとし、この２段目以後の根巻構成部品を、組み合わせた状態又はブロックごとに、前記柱状体の軸方向に沿うと共にかかる２段目以後の根巻構成部品の小径貫通孔が前記接続棒に外挿するように落とし込む工程とを有して構成されることを特徴としている（請求項４）。
【００１４】
このような根巻の施工方法とすることにより、根巻構成部品を柱状体の軸方向に沿って重ねる個数を変更するのみで、根巻用構造体における柱状体の基礎の安全率が必要十分な数値となるように調整することが可能となる。このため、生コンクリートを柱状体と縦孔との間に注入する場合に比し、コンクリート量等の事前に行う計算の簡易化、根巻の施工のための作業時間の短縮化、根巻の施工作業の安全の促進が図られると共に、柱状体を撤去、交換する際においても、根巻の撤去作業が容易となり、柱状体及び根巻構成部品の再使用も可能となる。
【発明の効果】
【００１５】
以上のように、本願の発明によれば、柱状体の軸方向に沿って重ねる根巻構成部品の個数を変更するのみで、最適な柱状体の基礎の安全率が必要十分な数値となるように調整することが可能となる。このため、生コンクリートを柱状体と縦孔との間に注入する場合や柱状体の軸方向に重ねない場合に比し、コンクリート等の充填材の量等の事前に行う計算の簡易化、省略化、根巻の施工のための作業時間の相対的な短縮化、根巻の施工作業の安全の促進が図られる。しかも、柱状体を撤去、交換する際においても、根巻の撤去作業が容易となり、作業時間の相対的な短縮化が図られると共に、柱状体及び根巻構成部品の再使用率も高くなるので、柱状体への根巻の施工に要するコストの削減を図ることができる。
【００１６】
特に請求項１に記載の発明によれば、複数の小径貫通孔を有することにより根巻構成部品の軽量化がなされているので、根巻構成部品の運搬が容易となり、作業の簡便化、作業の安全の向上が図られる。
【００１７】
特に請求項３に記載の発明によれば、全ての根巻構成部品が接続棒により接続されるので、根巻用構造体に対し柱状体の径方向への力が加わっても根巻構成部品若しくはそのブロックがずれることがなくなり、根巻用構造体の強度も向上させることができる。
【図面の簡単な説明】
【００１８】
【図１】図１は、この発明に係る根巻構成部品を形成するブロックの構成の一例を示した説明図である。
【図２】図２は、同上の根巻構成部品を形成するブロックとして図１に示すブロックに比し径方向寸法が相対的に小さいブロックの構成の一例を示した説明図である。
【図３】図３は、根巻構成部品を接続するために用いる接続棒を示したもので、図３（ａ）は、２つの根巻構成部品を接続するためのもの、図３（ｂ）は、３つの根巻構成部品を接続するためのもの、図３（ｃ）は、４つの根巻構成部品を接続するためのものである。
【図４】図４は、２つの根巻構成部品について接続棒を介して接続して構成された根巻用構造体、並びにこの根巻用構造体が柱状体の周囲に取り付けられた状態を示した説明図である。
【図５】図５は、根巻の施工の工程のうち、切削孔に柱状体を建て込み、切削孔の一部を埋め戻す工程を示す説明図である。
【図６】図６は、切削孔にブロックを落とし込んで切削孔内で１段目の根巻構成部品を組み付ける工程を示す説明図である。
【図７】図７は、１段目の根巻構成部品の貫通孔に接続棒を挿入する工程を示す説明図である。
【図８】図８は、接続棒が取り付けられた１段目の根巻構成部品に２段目の根巻構成部品を、かかる接続棒を介して接続するように、切削孔内に音仕込む工程を示す説明図である。
【図９】図９は、切削孔内にて形成された根巻用構造体と切削孔との間等に砂を入れて水締めする工程を示す説明図である。
【図１０】図１０は、切削孔を埋め戻す工程を示す説明図である。
【図１１】図１１は、図１又は図２に示されるブロックに対する変形例としてのブロックと、このブロックを組み合わせた根巻構成部品、ひいては根巻用構造体を示す説明図である。
【発明を実施するための形態】
【００１９】
以下、この発明の実施形態の一例を図面に基づいて説明する。
【実施例１】
【００２０】
図１から図３において、柱状体１の基礎の安全率を確保するための根巻の発明として、根巻構成部品２を形成するためのブロック３、４と根巻構成部品２を接続するための接続棒９、１０、１１とが示されている。ここで、柱状体１は、円柱状又は円錐台状を成すもので、例えばコンクリート製電柱等の電柱が挙げられるが、道路標識柱、街灯用柱等であっても良いものである。
【００２１】
このうち、図１に示されるブロック３は、埋設する基部側の直径寸法が１３ｍ以上の電柱等の柱状体１に用いられ、図２に示されるブロック４は、埋設する基部側の直径寸法が１２以下の電柱等の柱状体１に用いられるものであるが、いずれも、柱状体１の側面と対峙する半円の円弧状の内周面５を有すると共に、この実施例では外周面６も半円の円弧状となっており、これによりブロック３、３同士又はブロック４、４同士を組み合わせた場合には、図４に示されるように、柱状体１の直径寸法と略同じか若干大きな内径寸法の貫通孔７を有する筒状体形の根巻構成部品２となる。そして、各ブロック３、４は、接続棒９、１０又は１１が挿通される複数の貫通孔８（この実施例では６個）を有している。これらの貫通孔８の配列は、内周面５の円弧の中心Ｐ１から各貫通孔８の中心Ｐ２までの寸法が同じで、且つ、このブロック３、４について中心Ｐ１を中心点として例えば９０度回転させてずらしても、元の位置のブロック３、４の貫通孔８とずらした後のブロック３、４の貫通孔８とが一致するようになっている。
【００２２】
ここで、図１に示されるブロック３の各寸法の一例を説明すると、例えば内周面５の一方端から他方端までの貫通孔７の直径に相当する寸法Ｌ１が４０ｃｍ、内周面５の端から外周面６の端までの寸法Ｌ２が２０ｃｍ、貫通孔８の軸方向に沿った厚みＬ３が３０ｃｍ、内周面５の端から最も内側までの貫通孔７の半径に相当する寸法Ｌ４が２０ｃｍ、貫通孔８の径方向で且つ内周面５の面とは直交する側から見た状態の横幅の寸法Ｌ５が４０ｃｍ、貫通孔８の直径寸法Ｌ６が１０ｃｍとなっている。
【００２３】
また、図２に示されるブロック４の各寸法の一例を説明すると、例えば内周面５の一方端から他方端までの貫通孔７の直径に相当する寸法Ｌ７が３５ｃｍ、内周面５の端から外周面６の端までの寸法Ｌ８が２２，５ｃｍである一方で、貫通孔８の軸方向に沿った厚みＬ９はブロック３の厚みＬ３と同じ３０ｃｍとなっている。そして、このブロック４は、内周面５の端から最も内側までの貫通孔７の半径に相当する寸法Ｌ１０が１７，５ｃｍである一方で、貫通孔８の径方向で且つ内周面５の面とは直交する側から見た状態の横幅の寸法Ｌ１１が４０ｃｍ、貫通孔８の直径寸法Ｌ１２が１０ｃｍである点では、ブロック３の各寸法Ｌ５、Ｌ６と同じである。
【００２４】
そして、図３（ａ）に示される接続棒９は、長手方向に沿った寸法Ｌ１３が６０ｃｍで、ブロック３、４の厚みＬ３、Ｌ９の２倍の長さとなっており、図３（ｂ）に示される接続棒１０は、長手方向に沿った寸法Ｌ１４が９０ｃｍで、ブロック３、４の厚みＬ３、Ｌ９の３倍の長さとなっていると共に、図３（ｃ）に示される接続棒１１は、長手方向に沿った寸法Ｌ１４が１２０ｃｍで、ブロック３、４の厚みＬ３、Ｌ９の４倍の長さとなっている。さらに、各接続棒９、１０、１１の直径寸法Ｌ１６は、いずれも９ｃｍで、ブロック３、４の貫通孔８の直径寸法Ｌ６、Ｌ１２よりも若干短くなっている。
【００２５】
このようなブロック３、３同士又は４、４同士を組み合わせてなる根巻構成部品２、２を柱状体１の軸方向に沿って例えば２つ重ねて、根巻構成部品２、２の貫通孔８に接続棒９を挿入して構成することで、図４に示される根巻用構造体１３が形成される。尚、根巻構成部品２、２を柱状体１の軸方向に沿って３つ重ねる場合には接続棒１０が用いられ、根巻構成部品２、２を柱状体１の軸方向に沿って４つ重ねる場合には接続棒１１が用いられる。
【００２６】
次に、図５から図１０により、上述した根巻用構造体１３を用いた根巻の施工方法について説明する。もっとも、この根巻の施工方法の説明においては、ブロック３、３を組み合わせてなる根巻構成部品２と接続棒９とを用いた場合をその一例として挙げて説明する。
【００２７】
図５に示されるように、地面１４に対し鉛直方向に沿って掘ることにより、地面１４に開口した掘削孔１５を形成し、この堀削孔１５内に柱状体１を建て込んだ後、図５（ａ）、図５（ｂ）の矢印に示されるように、根巻用構造体１３を埋設するために必要な深度寸法Ｌ１８と、柱状体１の軸方向に沿った１５ｃｍの寸法Ｌ１９とを合わせた寸法Ｌ１７の孔内空間を残して、柱状体１の根元側を埋め戻すことで、柱状体１が垂直方向に沿って立つように柱状体１の向きを決定する。この場合、堀削孔１５の底面１５ａはいずれの位置にも凹凸のない、水平方向に沿って延びる面になっている。
【００２８】
次に、図６に示されるように、ブロック３、３を柱状体１の側面に沿って堀削孔１５内に、当該堀削孔１５の底面１５ａに達するまで落とし込み、この堀削孔１５内でブロック３、３を組み合わせて１段目の根巻構成部品２を形成する。この際、根巻構成部品２を構成するブロック３とブロック３とが堀削孔１５内で離れないように、図６に示されるようにＵ字状の連結具１６を一方のブロック３の貫通孔８と他方のブロック３の貫通孔８とに差し込んで、両ブロック３、３を仮連結することが好適である。また、ブロック３とブロック３とについて、柱状体１を挟むかたちで、予め地上で組み合わせて１段目の根巻構成部品２を形成し、且つ連結具１６を介して仮連結した後に、かかる根巻構成部品２を堀削孔１５内に落とし込んでも良い。そして、図６の矢印に示されるように、堀削孔１５の内側面と１段目の根巻構成部品２の側方外面との間に砂を入れて図７の状態となるように水締めをし、この水締めの作業が完了したら連結具１６を貫通孔８、８から抜き取る。
【００２９】
更に、図７に示されるように、１段目の根巻構成部品２の貫通孔８に接続棒９を挿入する。この場合に、接続棒９は、堀削孔１５の底面１５ａに接するまで貫通孔８内に深く挿入する。これにより、接続棒９は、図８に示されるように１段目の根巻構成部品２の貫通孔８から外部に突出しているところ、この突出寸法は、２段目となる根巻構成部品２の厚みＬＬ３と同じ寸法となっている。
【００３０】
更にまた、図８に示されるように、ブロック３、３を柱状体１の側面に沿って堀削孔１５内に、１段目の根巻構成部品２の上面に達するまで落とし込むことで、ブロック３、３を組み合わせて２段目の根巻構成部品２を形成すると同時に、図９に示される根巻用構造体１３を形成する。すなわち、各ブロック３は、各貫通孔８が１段目の根巻構成部品から延びる接続棒９に外挿するように、且つ、２段目の根巻構成部品２を構成するブロック３、３の継ぎ目の位置が１段目の根巻構成部品２のブロック３、３同士の継ぎ目の位置とずれるように（例えば９０度の角度でずれるように）、堀削孔１５内に落とし込む。
【００３１】
そして、図９の矢印に示されるように、堀削孔１５の内側面と２段目の根巻構成部品２の側方外面との間、及び貫通孔８と接続棒９との間に砂を入れて図１０の状態となるように水締めをした後、図１０の矢印に示されるように堀削孔１５内に土を入れて完全に元の状態に戻すことで根巻の施工の作業が完了する。
【実施例２】
【００３２】
根巻構成部品２を構成するブロックの形態は、図１や図２に示される構成に必ずしも限定されず、例えば図１１に示されるようなブロック１７を用いても良い。かかるブロック１７及びこのブロック１７を用いた根巻構成部品２並びに根巻用構造体１３について図１１を用いて説明する。但し、先の実施例１と同様の構成については基本的に同一の符号を付してその説明を省略する。
【００３３】
このブロック１７は、上述した埋設する基部側の直径寸法が１３ｍ以上の電柱等の柱状体１に用いられるブロック３に対応したもので、内周面５と外周面６とを結ぶ２つの面１８、１９は、それぞれこのブロック１７、１７を組み合わせて根巻構成部品２を形成した際にできる貫通孔７の軸方向に沿って相対的に突出した凸部２０と、当該貫通孔７の軸方向に沿った方向において凸部２０よりも窪んだ凹部２１とが交互に形成されたものとなっている。これらの凸部２０、凹部２１は、図１１（ｂ）に示されるように、中心点Ｐ１を中心とした直線に沿って徐々に広がっている。さらに、凸部２０、凹部２１は、図１１（ａ）に示されるように、面１８側に凸部２０が形成されている場合には面１９には凹部２１が形成されるように配置されている。
【００３４】
これにより、ブロック１７、１７同士を組み合わせて１段目の根巻構成部品２を形成し、この１段目の根巻構成部品２に対し柱状体１の軸方向においてブロック１７、１７同士を組み合わせて２段目の根巻構成部品２を形成するにあたり、１段目の根巻構成部品２の凸部２０と２段目の根巻構成部品２の凹部２１とを噛み合せると共に、段目の根巻構成部品２の凹部２１と２段目の根巻構成部品２の凸２０とを噛み合せることができるので、１段目の根巻構成部品２と２段目の根巻構成部品２との接続を強固なものとすることができる。よって、接続棒９、１０、１１を用いなくても１段目の根巻構成部品２と２段目の根巻構成部品２との接続が可能である。このことは、ブロック１７、１７を組み合わせて形成された根巻構成部品２を重ねる限り同様である。
【００３５】
また、このブロック１７は、その寸法を適宜に変更することで、埋設する基部側の直径寸法が１２以下の電柱等の柱状体１に用いられるブロック４に対応することも可能である。
【符号の説明】
【００３６】
１  柱状体
２  根巻構成部品
３  ブロック
４  ブロック
７  貫通孔
８  貫通孔
９  接続棒
１０  接続棒
１１  接続棒
１３  根巻用構造体
１４  地面
１５  切削孔（縦孔）
１７  ブロック
【図１】
2010163761.tif 000003
【図２】
2010163761.tif 000004
【図３】
2010163761.tif 000005
【図４】
2010163761.tif 000006
【図５】
2010163761.tif 000007
【図６】
2010163761.tif 000008
【図７】
2010163761.tif 000009
【図８】
2010163761.tif 000010
【図９】
2010163761.tif 000011
【図１０】
2010163761.tif 000012
【図１１】
2010163761.tif 000013